(57)【特許請求の範囲】
【請求項１】
燃料蒸気を収容した燃料タンクと、燃料タンクの燃料蒸気が流入し得る流入口及びその流入した燃料蒸気が点火される火口部を有した装置本体と、流入口に重合して閉鎖する閉鎖部を有した閉鎖部材と、を備えた燃焼装置において、
前記閉鎖部材は、移動すると前記火口部と前記流入口とを連通させる連通部が設けられたことを特徴とする燃焼装置。
【請求項２】
前記流入口及び前記連通部は、前記移動方向に沿ってそれぞれ複数個設けられたことを特徴とする請求項１記載の燃焼装置。
【請求項３】
前記閉鎖部材の閉鎖部又は連通部の少なくとも一方と前記流入口とを重合した状態で保持する保持手段が設けられたことを特徴とする請求項１記載の燃焼装置。
【発明の詳細な説明】
【０００１】
【産業上の利用分野】
本発明は、差動式や定温式等のスポット型熱感知器の作動試験に用いられる燃焼装置に関するものである。
【０００２】
【従来の技術】
従来、この種の燃焼装置として、図１９及び図２０に示すものが存在する。このものは、燃料蒸気を収容した燃料タンクＡ  と、燃料タンクＡ  の燃料蒸気が流入し得る流入口Ｂ１及びその流入した燃料蒸気が点火される火口部Ｂ２を有し燃料タンクＡ  が取着される装置本体Ｂ  と、流入口Ｂ１に重合して閉鎖する閉鎖部Ｃ１を有し燃料タンクＡ  の蓋体を兼ねた閉鎖部材Ｃ  と、を備えている。
【０００３】
【発明が解決しようとする課題】
このものは、装置本体Ｂ  の火口部Ｂ２を消火するときは、燃料タンクＡ  を装置本体Ｂ  から外した後に、燃料タンクＡ  の蓋体を兼ねた閉鎖部材Ｃ  の閉鎖部Ｃ１により流入口Ｂ１を閉鎖してから、再度燃料タンクＡ  を装置本体Ｂ  に取着しなければならず、消火するときの作業性が余り良くない。
【０００４】
本発明は、上記事由に鑑みてなしたもので、その目的とするところは、消火するときの作業性の良い燃焼装置を提供することにある。
【０００５】
【課題を解決するための手段】
上記した課題を解決するために、請求項１記載のものは、燃料蒸気を収容した燃料タンクと、燃料タンクの燃料蒸気が流入し得る流入口及びその流入した燃料蒸気が点火される火口部を有した装置本体と、流入口に重合して閉鎖する閉鎖部を有した閉鎖部材と、を備えた燃焼装置において、前記閉鎖部材は、移動すると前記火口部と前記流入口とを連通させる連通部が設けられた構成としている。
【０００６】
また、請求項２記載のものは、請求項１記載のものにおいて、前記流入口及び前記連通部は、前記移動方向に沿ってそれぞれ複数個設けられた構成としている。
【０００７】
また、請求項３記載のものは、請求項１記載のものにおいて、前記閉鎖部材の閉鎖部又は連通部の少なくとも一方と前記流入口とを重合した状態で保持する保持手段が設けられた構成としている。
【０００８】
【作用】
請求項１記載のものによれば、装置本体の火口部に点火して燃焼している状態において、閉鎖部材を移動させると、装置本体の流入口は、重合するのが連通部から閉鎖部に替わることによって閉鎖され、燃料タンクの燃料蒸気が火口部へ流入しなくなって消火する。
【０００９】
請求項２記載のものによれば、流入口及び連通部は、移動方向に沿ってそれぞれ複数個設けられているから、個々の流入口及び連通部の移動距離が複数個の数だけ分割されて小さくなる。
【００１０】
請求項３記載のものによれば、閉鎖部材の閉鎖部又は連通部の少なくとも一方が流入口に重合した状態が、保持手段でもって保持されるから、閉鎖部又は連通部のいずれか一方が流入口に重合しているときに、閉鎖部材が不用意に移動して他方が流入口に重合したりするようなことがなくなる。
【００１１】
【実施例】
本発明の第１実施例を図１乃至図９に基づいて以下に説明する。この燃焼装置は、装置本体１  、燃料タンク２  、閉鎖部材３  からなっており、その装置本体１  は、支持金具１１、外筒１２、基板１３、火口部材１４、熱反射板１５、作業棒１６より構成されている。
【００１２】
支持金具１１は、中央片及び両対向片でコ字型に形成され、その両対向片の先端部には外筒１２を支持する支持軸１１ａ  が対向方向へ突き出るようにしてそれぞれ設けられている。
【００１３】
外筒１２は、両端が開口した略円筒状に形成されている。この外筒１２は、一端開口部に近い側面部に複数個の通気孔１２ａ  が等ピッチで周回して設けられ、他端開口部から側面部の一端方向へ向かって切り込まれた固定部１２ｂ  と閉鎖部材３  の挿通する挿通部１２ｃ  とが設けられている。そして、外筒１２は、一端開口部に近い側面部に設けられた支持穴（図示せず）に支持金具１１の支持軸１１ａ  が挿通することにより回動自在に支持される。
【００１４】
基板１３は、中央に貫通した四角形の流入口１３ａ  が設けられた略円板状に形成され、その一方面には流入口１３ａ  を囲むようにして火口部材１４を固定する固定台１３ｂ  が２列に、また円周近くにガイドピン１３ｃ  が設けられ、さらに他方面にはタンク掛止部１３ｄ  が設けられ、固定ねじ１２ｄ  でもって外筒１２の固定部１２ｂ  に固定される。
【００１５】
火口部材１４は、基板１３の固定台１３ｂ  にねじ止め等で固定される板状の固定部１４ａ  と、その固定部１４ａ  の中央に設けられた四角の貫通穴の周囲に壁板を配して形成された空間に白金触媒（図示せず）を充填された火口部１４ｂ  と、からなっている。
【００１６】
熱反射板１５は、一端開口部が他端開口部よりも径が大きい略筒状に形成され、他端開口部が基板１３側になるようにして、火口部材１４と共にねじ止め等で基板１３に固定される。そして、この熱反射板１５は、燃料蒸気が燃焼して発生した熱を外筒１２の一端開口部の方向へ反射させる。
【００１７】
作業棒１６は、一端部が支持金具１１の中央片に固着され、作業者が天井等に設けられた熱感知器の周囲に外筒の一端開口部を位置させる作業に用いるものである。
【００１８】
燃料タンク２  は、有底円筒状に形成され、その開口部分の周縁から延設部２ａが遠心方向に延設した延設部２ａが基板１３のタンク掛止部１３ｄ  に掛止して取着される。また、この燃料タンク２  は、ベンジン等の液体燃料を含浸した脱脂綿２ｂ及び液体燃料の蒸発した燃料蒸気を収容し、装置本体１  の流入口１３ａ  から液体燃料の燃料蒸気が火口部１４ｂ  へ流入し得るものとなっている。
【００１９】
閉鎖部材３  は、幅広部３１及び幅狭部３２を有した板状に形成されている。詳しくは、幅広部３１において幅狭部３２寄りに貫通した四角形の連通部３１ａ  が設けられ、幅広部３１の先端近くが閉鎖部３１ｂ  となっている。また、幅狭部３２は、細長い穴部３２ａ  が設けられ、その先端が直角に屈曲されている。この閉鎖部材３  は、その穴部３２ａ  に挿通された基板１３のガイドピン１３ｃ  が沿うよう基板１３上で移動して、前述した外筒１２の挿通部１２ｃ  に挿通する。
【００２０】
次に、本燃焼装置の火口部１４ｂ  に点火する手順を図８及び図９に基づいて説明する。閉鎖部材３  を基板１３上で移動して、図８（ａ）及び図９（ａ）に示すように、閉鎖部材３  の連通部３１ａ  を装置本体１  の流入口１３ａ  に重合させると、燃料タンク２  及び火口部１４ｂ  が連通部３１ａ  及び流入口１３ａ  を介して燃料蒸気が火口部１４ｂ  まで拡散し、点火される。
【００２１】
次に、火口部１４ｂ  の消火する手順を図８及び図９に基づいて説明する。図８（ａ）及び図９（ａ）の状態の閉鎖部材３  を矢示するように、固定台１３ｂ  に沿って基板１３上で移動して、図８（ｂ）及び図９（ｂ）のように、閉鎖部材３  の閉鎖部３１ｂ  が装置本体１  の流入口１３ａ  に重合し、装置本体１の流入口１３ａ  を閉鎖して、燃料タンク２  に収容された燃料蒸気が火口部１４ｂ  に拡散しなくなり、消火される。
【００２２】
かかる燃焼装置にあっては、装置本体１  の火口部１４ｂ  に点火して燃焼している状態において、閉鎖部材３  を移動させると、装置本体１  の流入口１３ａ  は、重合するのが連通部３１ａ  から閉鎖部３１ｂ  に替わることによって閉鎖され、燃料タンク２  の燃料蒸気が火口部１４ｂ  へ流入しなくなって消火するので、従来例のように燃料タンク２  を装置本体１  から外したり取着しなおしたりしなくてもよくなり、よって、消火の作業性を良くすることができる。
【００２３】
次に、本発明の第２実施例を図１０乃至図１２に基づいて以下に説明する。なお、第１実施例と実質的に同一の機能を有する部材には同一の符号を付し、異なるところのみ記す。
【００２４】
第１実施例では、装置本体１  の流入口１３ａ  及び閉鎖部材３  の連通部３１ａ  は、それぞれ１個ずつ設けられているのに対し、本実施例では、移動方向に沿ってそれぞれ複数個設けられた構成となっている。
【００２５】
詳しくは、個々の流入口１３ａ  及び連通部３１ａ  の移動方向の寸法のそれぞれの合計は、第１実施例の１個の流入口１３ａ  及び連通部３１ａ  の移動方向の寸法とそれぞれ等しいものとなっている。つまり、個々の流入口１３ａ  及び連通部３１ａ  の移動距離が複数個の数だけ分割されて小さくなっており、それに従って穴部３２ａ  の移動方向の寸法も小さくなっている。また、閉鎖部材３  の閉鎖部３１ｂ  は、広幅部３２の先端部と、互いに隣接する両連通部３１ａ，３１ａ  の間の部分とで形成され、連通部３１ａ  と同数個設けられている。
【００２６】
次に、火口部１４ｂ  の消火する手順を図１２に基づいて説明する。同図（ａ）の状態の閉鎖部材３  を矢示するように固定台１３ｂ  に沿って基板１３上で移動して、図１２（ｂ）のように、閉鎖部材３  の個々の閉鎖部３１ｂ  が装置本体１  の複数個の流入口１３ａ  に重合し、装置本体１の流入口１３ａ  を閉鎖して、燃料タンク２  に収容された燃料蒸気が火口部１４ｂ  に拡散しなくなり、消火される。
【００２７】
かかる燃焼装置にあっては、流入口１３ａ  及び連通部３１ａ  は、移動方向に沿ってそれぞれ複数個設けられているから、上記したように、個々の流入口１３ａ  及び連通部３１ａ  の移動距離が複数個の数だけ分割されて小さくなるので、第１実施例よりもさらに消火の作業性を良くすることができる。
【００２８】
次に、本発明の第３実施例を図１３及び図１４に基づいて以下に説明する。なお、第１実施例と実質的に同一の機能を有する部材には同一の符号を付し、異なるところのみ記す。
【００２９】
第１実施例では、閉鎖部材３  の穴部３２ａ  は、直線状に形成されているのに対し、本実施例では、平面視で平面視で直線部と鉤部とで略Ｊ字状に形成されて、基板１３のガイドピン１３ｃ  と共に、閉鎖部材３  の閉鎖部３１ｂ  が装置本体１  の流入口１３ａ  に重合した状態を保持する保持手段４  となった構成になっている。
【００３０】
次に、第１実施例と同様にして着火されている火口部１４ｂ  を消火して、その消火した状態を保持する手順について、図１４（ａ）乃至（ｄ）に基づいて説明する。同図（ａ）の状態の閉鎖部材３  を矢示するように、固定台１３ｂ  に沿って基板１３上で移動して、同図（ｂ）のように、閉鎖部材３  の閉鎖部３１ｂ  が装置本体１  の流入口１３ａ  に重合し、装置本体１  の流入口１３ａ  を閉鎖して、燃料タンク２  に収容された燃料蒸気が火口部１４ｂ  に拡散しなくなり、消火される。そして、同図（ｂ）に矢示するように、閉鎖部３１ｂ  が流入口１３ａ  に重合するときの移動方向と直交する方向へ移動させた後に、同図（ｃ）に矢示するように、ガイドピン１３ｃ  が穴部３２ａ  の鉤部に位置するように、前述した移動方向とは逆方向へ移動させると、ガイドピン１３ｃ  が穴部３２ａ  の直線部に位置するよう不用意に移動することなく保持される。
【００３１】
次に、本発明の第４実施例を図１５乃至図１８に基づいて以下に説明する。なお、第３実施例と実質的に同一の機能を有する部材には同一の符号を付し、異なるところのみ記す。
【００３２】
第３実施例では、保持手段４  は、基板１３のガイドピン１３ｃ  及び閉鎖部材３  の略Ｊ字状の穴部３２ａ  でもって形成されているのに対し、本実施例では、基板１３に設けられた突起１３ｅ  及びその突起１３ｅ  が嵌まり込む四角形状の穴部３２ａ  でもって形成された構成になっている。
【００３３】
詳しくは、基板１３の突起１３ｅ  は、側面視で急な斜面と緩い斜面とで形成された三角形状であり、この急な斜面が基板１３の円周側に位置している。
【００３４】
次に、第１実施例と同様にして着火されている火口部１４ｂ  を消火して、その消火した状態を保持する手順について、図１７（ａ）及び（ｂ）と図１８に基づいて説明する。図１７（ａ）の状態の閉鎖部材３  を矢示するように、固定台１３ｂ  に沿って基板１３上で移動して、閉鎖部材３  が基板１３の突起１３ｅ  の緩い斜面を乗り越えて、図１７（ｂ）及び図１８のように、穴部３２ａ  に突起１３ｅ  が嵌まり込み、このとき、閉鎖部材３  の閉鎖部３１ｂ  が装置本体１  の流入口１３ａ  に重合し、装置本体１  の流入口１３ａ  を閉鎖して、燃料タンク２  に収容された燃料蒸気が火口部１４ｂ  に拡散しなくなり、消火される。この状態では、閉鎖部材３  は、基板１３から浮かすようにしないと基板１３の突起１３ｅ  の急な斜面を乗り越えることができないから、不用意に変移することなく保持される。
【００３５】
かかる第３及び第４実施例のいずれの燃焼装置にあっても、第１実施例の効果に加えて、閉鎖部材３  の閉鎖部３１ｂ  が装置本体１  の流入口１３ａ  に重合して流入口１３ａ  が閉鎖されている状態が、保持手段４  でもって保持されるから、閉鎖部材３  が不用意に移動せず、連通部３１ａ  が流入口１３ａ  に重合して、流入口１３ａ  が連通するようなことがなくなるので、使用していないときの燃料蒸気の流入をなくすことができる。
【００３６】
また、消火直後に不用意に連通部３１ａ  が流入口１３ａ  に重合するようなことがなくなるので、確実に消火できる。
【００３７】
なお、第１乃至第４実施例では、燃料蒸気は、液体燃料の蒸発したもので構成されているが、固体燃料が液化した後に蒸発したもので構成されても、ボンベ等から直接供給された気体燃料からなるものでも、同様な効果を奏することができる。
【００３８】
また、第１乃至第４実施例では、閉鎖部材３  の連通部３１ａ  は、貫通孔状に形成されているが、燃料蒸気が透過し得るものならば、多孔性等の他の構成でもよい。
【００３９】
また、第３及び第４実施例では、保持手段４  は、閉鎖部材３  の閉鎖部３１ｂ  が装置本体１  の流入口１３ａ  に重合している状態を保持するものであるが、閉鎖部材３  の連通部３１ａ  が装置本体１  の流入口１３ａ  に重合する状態を保持するようにすると、本燃焼装置の使用中に消火してしまうのをなくすことができる。
【００４０】
【発明の効果】
請求項１記載のものは、装置本体の火口部に点火して燃焼している状態において、閉鎖部材を移動させると、装置本体の流入口は、重合するのが連通部から閉鎖部に替わることによって閉鎖され、燃料タンクの燃料蒸気が火口部へ流入しなくなって消火するので、従来例のように燃料タンクを装置本体から外したり取着しなおしたりしなくてもよくなり、よって、消火の作業性を良くすることができる。
【００４１】
請求項２記載のものは、流入口及び連通部は、移動方向に沿ってそれぞれ複数個設けられているから、個々の流入口及び連通部の移動距離が複数個の数だけ分割されて小さくなるので、請求項１記載のものよりもさらに消火の作業性を良くすることができる。
【００４２】
請求項３記載のものは、請求項１記載のものの効果に加えて、閉鎖部材の閉鎖部又は連通部の少なくとも一方が流入口に重合した状態が、保持手段でもって保持されるから、閉鎖部又は連通部のいずれか一方が流入口に重合しているときに、閉鎖部材が不用意に移動して他方が流入口に重合したりするようなことがなくなるので、装置を使用しているときに消火してしまったり、使用していないときの燃料蒸気の流入をなくすことができる。
【図面の簡単な説明】
【図１】本発明の第１実施例の火口部材及び閉鎖部材を基板に配置する状態を示す斜視図である。
【図２】同上の正面図である。
【図３】同上の平面図である。
【図４】同上の燃料タンクの斜視図である。
【図５】同上の燃料タンクが基板に取着された状態の部分断面図である。
【図６】同上の基板の平面図である。
【図７】同上の閉鎖部材の平面図である。
【図８】同上の火口部を消火する手順を示す平面図である。
【図９】同上の火口部を消火する手順を示す正面断面図である。
【図１０】本発明の第２実施例の基板の平面図である。
【図１１】同上の閉鎖部材の平面図である。
【図１２】同上の火口部を消火する手順を示す平面図である。
【図１３】本発明の第３実施例の閉鎖部材の平面図である。
【図１４】同上の火口部を消火して閉鎖部材を保持する手順を示す正面断面図である。
【図１５】本発明の第４実施例の基板の平面図である。
【図１６】同上の閉鎖部材の平面図である。
【図１７】同上の火口部を消火して閉鎖部材を保持する手順を示す正面断面図である。
【図１８】同上の閉鎖部材を保持する状態の正面断面図である。
【図１９】従来例の火口部が点火されて燃焼している状態の正面断面図である。
【図２０】同上の火口部が消火されている状態の正面断面図である。
【符号の説明】
１          装置本体
１３ａ    流入口
１４ｂ      火口部
２          燃料タンク
３          閉鎖部材
３１ａ      連通部
３１ｂ      閉鎖部
４          保持手段
【図１】
0003584493.tif 000002
【図２】
0003584493.tif 000003
【図３】
0003584493.tif 000004
【図４】
0003584493.tif 000005
【図５】
0003584493.tif 000006
【図６】
0003584493.tif 000007
【図７】
0003584493.tif 000008
【図８】
0003584493.tif 000009
【図９】
0003584493.tif 000010
【図１０】
0003584493.tif 000011
【図１１】
0003584493.tif 000012
【図１２】
0003584493.tif 000013
【図１３】
0003584493.tif 000014
【図１４】
0003584493.tif 000015
【図１５】
0003584493.tif 000016
【図１６】
0003584493.tif 000017
【図１７】
0003584493.tif 000018
【図１８】
0003584493.tif 000019
【図１９】
0003584493.tif 000020
【図２０】
0003584493.tif 000021